【手続補正書】
【提出日】平成18年7月12日(2006.7.12)
【手続補正１】
【補正対象書類名】特許請求の範囲
【補正対象項目名】全文
【補正方法】変更
【補正の内容】
【特許請求の範囲】
【請求項１】
眼の後腔に少なくとも第１創口および第二創口が形成され、第１創口を介して、硝子体切除カッター／吸引プローブが挿入され、第２創口を介して流体供給導管が挿入され、流体供給導管を介してパーフルオロカーボン調合物を眼の後腔内に流入させながら、硝子体切除カッター／吸引プローブを用いて、硝子体液の少なくとも一部を後腔から除去する硝子体切除術において使用するための前記パーフルオロカーボン調合物を製造するために、パーフルオロカーボン液を使用する、パーフルオロカーボン液の使用。
【請求項２】
前記パーフルオロカーボン調合物が使用される硝子体切除術は、入口ポートと、出口ポートと、それを通して高密度流体を通過させている間に硝子体の粒子は保持する濾過要素とを有するフィルター装置を提供する工程と、
フィルター装置の入り口ポートに硝子体切除カッター／吸引プローブを連結する工程と、
濾過装置の出口ポートを流体供給チューブに連結して再循環ループを形成する工程であって、その再循環ループによって、前記パーフルオロカーボン調合物と硝子体の粒子との混合物が硝子体切除カッター／吸引プローブからフィルター装置に流れ込み、硝子体の粒子は濾過要素によって保持され、前記パーフルオロカーボン調合物は流体供給チューブを介してフィルター装置の出口ポートから流れ出して眼の後腔に戻る工程とをさらに備える、請求項１に記載の使用。
【請求項３】
前記パーフルオロカーボン調合物が使用される硝子体切除術は、前記パーフルオロカーボン調合物が再循環ループを通過する際に、前記パーフルオロカーボン調合物を酸素化する工程をさらに備える、請求項１に記載の使用。
【請求項４】
前記高密度流体を酸素化する工程は、前記パーフルオロカーボン調合物がフィルター装置を通過した後に前記パーフルオロカーボン調合物を通して酸素または酸素含有ガス混合物をバブリングすることによって行なわれる、請求項３に記載の使用。
【請求項５】
前記パーフルオロカーボン調合物は3個〜１２個の炭素を有するパーフルオロカーボン溶媒を精製することにより製造される、請求項１に記載の使用。
【請求項６】
前記パーフルオロカーボン液が、パーフルオロヘプタン、パーフルオロ−オクタン、パーフルオロ−ｎ−オクタン、パーフルオロデカリン、パーフルオロクチルブロミド（ＰＦＯＢ）、パーフルオロ  １−メチルデカリン（ＰＰ９）、ならびにパーフルオロ  １，３−ジメチルアダマンタンおよびパーフルオロトリメチルビシクロ［３．３．１］ノナン混合物（ＤＡＷＮ）からなる群から選択される、請求項１に記載の使用。
【請求項７】
フィルター装置の濾過要素が、約０．２２〜５００ミクロンのサイズの微細孔を有する膜を備える、請求項２に記載の使用。
【請求項８】
フィルター装置が、再循環ループ上の複数の位置に配置された複数のフィルター装置を備える、請求項２に記載の使用。
【請求項９】
フィルター装置が、約５００ミクロンの微細孔を有する第１濾過要素と、約０．２２ミクロンの微細孔を有する第２濾過要素とを備える、請求項２に記載の使用。
【請求項１０】
前記パーフルオロカーボン調合物が使用される硝子体切除術は、前記パーフルオロカーボン調合物を回収するために、再循環ループ内にリザーバを配置する工程をさらに備える、請求項１に記載の使用。
【請求項１１】
前記パーフルオロカーボン調合物が使用される硝子体切除術は、ポンプを提供して、該ポンプを用いて、再循環ループを通って前記パーフルオロカーボン調合物をポンプ輸送する工程をさらに備える、請求項１に記載の使用。
【請求項１２】
ヒトまたは動物患者の眼における硝子体切除術の実施中に高密度流体を連続注入するためのシステムであって、
Ａ）第１創口を介して眼の後腔に挿入可能な硝子体切除カッター／吸引プローブと、
Ｂ）第２創口を介して眼の後腔に挿入可能な流体供給導管と、
Ｃ）硝子体が後腔から除去されるにつれ、高密度流体が流体供給チューブを通って後腔に入るように流体供給チューブに連結されている高密度流体源とを備えるシステム。
【請求項１３】
入口ポートと、出口ポートと、高密度流体は通過させるが硝子体の粒子は保持する濾過要素とを有するフィルター装置と、
フィルター装置の入り口ポートに連結されている硝子体切除カッター／吸引プローブと、
濾過装置の出口ポートであって、高密度流体と硝子体の粒子との混合物が硝子体切除カッター／吸引プローブからフィルター装置に流れ込み、硝子体の粒子は濾過要素によって保持され、高密度流体は流体供給チューブを介してフィルター装置の出口ポートから流れ出して眼の後腔に戻る再循環ループを形成するように流体供給チューブに連結されている出口ポートとをさらに備える、請求項１２に記載のシステム。
【請求項１４】
高密度流体を再循環ループ通過時に酸素化する酸素化装置をさらに備える、請求項１２に記載のシステム。
【請求項１５】
酸素化装置は、高密度流体がフィルター装置を通過した後に高密度流体を通して酸素または酸素含有ガス混合物をバブリングする装置を備える、請求項１４に記載のシステム。
【請求項１６】
高密度流体源がパーフルオロカーボン流体源を備える、請求項１２に記載のシステム。
【請求項１７】
パーフルオロカーボン流体源が、パーフルオロヘプタン、パーフルオロｎ−オクタン、
パーフルオロデカリン、パーフルオロクチルブロミド（ＰＦＯＢ）、パーフルオロ  １−メチルデカリン（ＰＰ９）、ならびにパーフルオロ  １，３−ジメチルアダマンタンおよびパーフルオロトリメチルビシクロ［３．３．１］ノナン混合物（ＤＡＷＮ）からなる群から選択されるパーフルオロカーボンを含有する、請求項１６に記載のシステム。
【請求項１８】
フィルター装置の濾過要素が、約０．２２〜５００ミクロンのサイズの微細孔を有する膜を備える、請求項１２に記載のシステム。
【請求項１９】
フィルター装置が、再循環ループ上の複数の位置に配置された複数のフィルター装置を備える、請求項１２に記載のシステム。
【請求項２０】
フィルター装置が、約５００ミクロンの微細孔を有する第１濾過要素と、約０．２２ミクロンの微細孔を有する第２濾過要素とを備える、請求項１２に記載のシステム。
【請求項２１】
再循環ループ内に高密度流体を回収するためのリザーバをさらに備える、請求項１２に記載のシステム。
【請求項２２】
再循環ループを通って高密度流体をポンプ輸送するためのポンプをさらに備える、請求項１２に記載のシステム。
【手続補正２】
【補正対象書類名】明細書
【補正対象項目名】００１４
【補正方法】変更
【補正の内容】
【００１４】
本願の図１および図２は、ヒトの眼１０の図解を含んでいる。これらの図に示されている眼の解剖学的構造は以下の記号で示されている。
角膜              Ｃ
前眼房            ＡＣ
虹彩              Ｉ
水晶体嚢          ＬＣ
水晶体            Ｌ
硝子体腔          ＶＣ
網膜              Ｒ
図１〜図２に示されているように、本発明のシステム１００は、一般的には、駆動ケーブル１０６によって制御コンソール１０４に連結され、かつ吸引排出チューブ１１０を介して回収バッグ１０８の上部に連結されている除去装置１０２を有する。回収バッグ１０８の下部にある出口ポート１１２は酸素化びん１１４に連結されている。酸素化びんは、酸素源１１８から酸素を受容するための酸素導入ポート１１６と、流体リザーバ１２４の入口ポート１２２に連結されている出口ポート１２０とを有する。流体リザーバ１２４の出口ポート１２６には、ポリプロピレンまたはテトラフルオロエチレン製チューブなどの流体導入手段１２５が連結されている。システム中に流体を循環させるために蠕動ポンプ１２８が設けられている。